(57)【要約】【課題】  本発明は、電源装置全体の性能を低下させることなく運用を継続することが可能な情報処理装置及び電源制御方法を提供する。【解決手段】  サーバコンピュータ１におけるＣＰＵ１１は、ＲＴＣ１２の時刻情報からシステムの運用時間を計算し、予め設定された時刻に達すると、スイッチングコントローラ２１にスイッチング周波数を高くするスイッチング周波数指示信号３３を出力する。スイッチング電源装置におけるスイッチングコントローラ２１は、スイッチ周波数指示信号が入力されると、スイッチング周波数を予め設定された高い周波数に切替えてスイッチング操作を実行する。【選択図】  図１
2007159181.tif 000002
【特許請求の範囲】
【請求項１】
コンデンサを備えたスイッチング電源部と、計時部とを有する情報処理装置において、
上記計時部の時間情報に基づいてシステムの運用時間が予め設定された時間に達したかを判定する判定部と、
この判定部により時間に達したと判定されると、スイッチング電源部のスイッチング周波数をより高いスイッチング周波数に切り替える電源制御部と、
を有することを特徴とする情報処理装置。
【請求項２】
上記判定部は、上記計時部の時間情報に基づいてシステムの運用時間が予め設定された第１の時間に達したかを判定する第１の判定部と、上記計時部の時間情報に基づいてシステムの運用時間が予め設定された第２の時間に達したかを判定する第２の判定部とを有し、
上記電源制御部は、上記第１の判定部により第１の時間に達したと判定されると、スイッチング電源部のスイッチング周波数をより高い第１のスイッチング周波数に切り替え、上記第２の判定部により第２の時間に達したと判定されると、スイッチング電源部のスイッチング周波数を上記第１のスイッチング周波数よりも更に高い第２のスイッチング周波数に切り替えるものであることを特徴とする請求項１記載の情報処理装置。
【請求項３】
上記判定部は、上記計時部の時間情報に基づいてシステムの運用時間が予め設定された第１の時間に達したかを判定する第１の判定部と、上記計時部の時間情報に基づいてシステムの運用時間が予め設定された第２の時間に達したかを判定する第２の判定部とを有し、
上記電源制御部は、上記第１の判定部により第１の時間に達したと判定されると、スイッチング電源部のスイッチング周波数をより高い第１のスイッチング周波数に切り替えるものであり、
更に上記第２の判定部により第２の時間に達したと判定されると、上記スイッチング電源部が寿命である旨を示す情報を通知する通知部を有することを特徴とする請求項１記載の情報処理装置。
【請求項４】
コンデンサを備えたスイッチング電源部を有する情報処理装置において、
ユーザが上記スイッチング電源部のスイッチング周波数の切替えを指示するための指示部と、
この指示部により上記スイッチング電源部のスイッチング周波数の切替指示が入力されると、スイッチング電源部のスイッチング周波数をより高いスイッチング周波数に切り替える電源制御部と、
を有することを特徴とする情報処理装置。
【請求項５】
上記電源制御部は、上記指示部により上記スイッチング電源部のスイッチング周波数の切替指示が入力される度に、スイッチング電源部のスイッチング周波数をより高いスイッチング周波数に切り替えるものであることを特徴とする請求項４記載の情報処理装置。
【請求項６】
コンデンサを備えたスイッチング電源部と、計時部とを有する情報処理装置における電源制御方法において、
上記計時部の時間情報に基づいてシステムの運用時間が予め設定された時間に達したかを判定するステップと、
この判定ステップにより時間に達したと判定されると、スイッチング電源部のスイッチング周波数をより高いスイッチング周波数に切り替えるステップと、
を有することを特徴とする電源制御方法。
【請求項７】
上記判定ステップは、上記計時部の時間情報に基づいてシステムの運用時間が予め設定された第１の時間に達したかを判定する第１の判定ステップと、上記計時部の時間情報に基づいてシステムの運用時間が予め設定された第２の時間に達したかを判定する第２の判定ステップとからなり、
上記切替ステップは、上記第１の判定ステップにより第１の時間に達したと判定されると、スイッチング電源部のスイッチング周波数をより高い第１のスイッチング周波数に切り替え、上記第２の判定ステップにより第２の時間に達したと判定されると、スイッチング電源部のスイッチング周波数を上記第１のスイッチング周波数よりも更に高い第２のスイッチング周波数に切り替えることを特徴とする請求項６記載の電源制御方法。
【請求項８】
上記判定ステップは、上記計時部の時間情報に基づいてシステムの運用時間が予め設定された第１の時間に達したかを判定する第１の判定ステップと、上記計時部の時間情報に基づいてシステムの運用時間が予め設定された第２の時間に達したかを判定する第２の判定ステップからなり、
上記切替ステップは、上記第１の判定ステップにより第１の時間に達したと判定されると、スイッチング電源部のスイッチング周波数をより高い第１のスイッチング周波数に切り替えるものであり、
更に上記第２の判定ステップにより第２の時間に達したと判定されると、上記スイッチング電源部が寿命である旨を示す情報を通知するステップを有することを特徴とする請求項６記載の電源制御方法。
【請求項９】
コンデンサを備えたスイッチング電源部と、計時部と、ユーザが上記スイッチング電源部のスイッチング周波数の切替えを指示するための指示部と、を有する情報処理装置における電源制御方法において、
上記指示部により上記スイッチング電源部のスイッチング周波数の切替指示が入力されると、スイッチング電源部のスイッチング周波数をより高いスイッチング周波数に切り替えることを特徴とする電源制御方法。
【請求項１０】
コンデンサを備えたスイッチング電源部と、計時部と、ユーザが上記スイッチング電源部のスイッチング周波数の切替えを指示するための指示部と、を有する情報処理装置における電源制御方法において、
上記指示部により上記スイッチング電源部のスイッチング周波数の切替指示が入力される度に、スイッチング電源部のスイッチング周波数をより高いスイッチング周波数に切り替えることを特徴とする電源制御方法。
【発明の詳細な説明】
【技術分野】
【０００１】
本発明は、情報処理装置及び電源制御方法に関し、特に時刻情報に基づいてスイッチング電源装置のスイッチング周波数を高く変更することが可能な情報処理装置及び電源制御方法に関する。
【背景技術】
【０００２】
スイッチング電源装置を用いた各種情報処理装置において、出力コンデンサにアルミ電解コンデンサを用いるものが多い。このようなスイッチング電源においては、使用時間とともに電解コンデンサ内部の電解液が揮発（ドライアップ）して経年劣化を起こす特性を有している。このように経年劣化を起こした電解コンデンサは、その容量が低下し、ひいては電源全体の性能が低下するという大きな問題に繋がってしまう。従来では、このようなスイッチング電源装置の性能が低下すると、電源モジュールを交換する必要がある。
【０００３】
しかし、スイッチング電源装置の性能の低下が検知されたとしても、直に電源モジュールを交換できない場合には、コンデンサの破裂や破損が生じ、交換が間に合わない恐れがあった。そこで、コンデンサの出力リプルを検出することによりコンデンサの寿命を検知し、寿命が検知された時に、スイッチング電源装置のスイッチング周波数を高くして、交換時期に余裕を持たせる技術が考えられている（例えば、特許文献１参照）。
【特許文献１】特開２０００−３５０４４８公報
【発明の開示】
【発明が解決しようとする課題】
【０００４】
しかしながら、従来の装置では、出力リプルを検知することで寿命であると判断されたコンデンサは既に性能が低下しており、交換時期に余裕を持たせるために検知されたコンデンサを破壊・破損させない程度に寿命を延長させているものであって、十分な運用が不可能な状態である。
【０００５】
本発明は、以上の点に鑑みなされたもので、電源装置全体の性能を低下させることなく運用を継続することが可能な情報処理装置及び電源制御方法を提供することを目的とする。
【課題を解決するための手段】
【０００６】
上記目的を達成するために、本発明の情報処理装置は、コンデンサを備えたスイッチング電源部と、計時部とを有する情報処理装置において、上記計時部の時間情報に基づいてシステムの運用時間が予め設定された時間に達したかを判定する判定部と、この判定部により時間に達したと判定されると、スイッチング電源部のスイッチング周波数をより高いスイッチング周波数に切り替える電源制御部と、を有することを特徴とする。
【０００７】
上記目的を達成するために、本発明の電源制御方法は、コンデンサを備えたスイッチング電源部と、計時部とを有する情報処理装置における電源制御方法において、上記計時部の時間情報に基づいてシステムの運用時間が予め設定された時間に達したかを判定するステップと、この判定ステップにより時間に達したと判定されると、スイッチング電源部のスイッチング周波数をより高いスイッチング周波数に切り替えるステップと、を有することを特徴とする。
【発明の効果】
【０００８】
本発明によれば、電源装置全体の性能を低下させることなく運用を継続することができる。
【発明を実施するための最良の形態】
【０００９】
以下、この発明の実施の形態について、図面を参照して詳細に説明する。図１は、本実施の形態に係る情報処理装置としてのサーバコンピュータ１の主要構成を示すブロック図である。
【００１０】
図１に示すサーバコンピュータ１は、ＣＰＵ（Ｃｅｎｔｒａｌ  Ｐｒｏｃｅｓｓｉｎｇ  Ｕｎｉｔ）１１と、ＲＴＣ（Ｒｅａｌ  Ｔｉｍｅ  Ｃｌｏｃｋ）１２と、スイッチング電源装置２０とを主に有する。ＣＰＵ１１は、サーバコンピュータ１のマザーボード上に標準実装されているプロセッサである。マザーボードは多層プリント回路基板から構成されている。
【００１１】
多層プリント回路基板は、少なくとも電源層と信号配線層とを含む。電源層には、銅箔ベタ層の図示せぬ電源プレーンが形成されている。ＣＰＵ１１は信号配線層の表面上に実装され、その電源端子はスルーホールなどを介して電源プレーンに接続されている。電源プレーンは、サーバコンピュータ１に実装されたＣＰＵ１１に電源を共通に供給するための給電レーンとして機能する。
【００１２】
ＲＴＣ１２は、プリント回路基板の信号配線層の表面上に実装されている計時専用のチップである。ＲＴＣ１２は、他のマザーボード上のチップと異なり、電源が入っている間は外部電源から電源供給され、電源が切られている間は内蔵電池から電源供給され、計時動作を継続する。ＣＰＵ１１は、起動時にＲＴＣ１２の時間情報を取得し、サーバコンピュータ１システムの運用時間を算出する。
【００１３】
スイッチング電源装置２０は、プリント回路基板の信号配線層の表面上に実装されている。スイッチング電源装置２０は、入力されたＤＣ電源からＣＰＵ１１、ＲＴＣ１２に対し供給すべき電源（ＤＣ  Ｐｏｗｅｒ）を生成する。スイッチング電源装置２０にはＡＣアダプタなどの外部電源からのＤＣ電源が入力される。スイッチング電源装置２０はその入力されたＤＣ電源の電圧値をＣＰＵ１１に供給すべき電圧値を持つＤＣ  Ｐｏｗｅｒ電源に変換する。
【００１４】
スイッチング電源装置２０のＤＣ電源出力端子は、スルーホールなどを介して電源プレーンに接続されている。これにより、スイッチング電源装置２０によって得られたＤＣ電源は、電源プレーンを介してＣＰＵ１１、ＲＴＣ１２に供給される。
【００１５】
スイッチング電源装置２０は、スイッチングコントローラ２１と、入力コンデンサ２２と、ハイサイドＦＥＴ２３およびローサイドＦＥＴ２４としてそれぞれ機能する２つのスイッチング・トランジスタと、平滑フィルタを構成する還流ダイオード２５、チョークコイル２６および出力コンデンサ２７とから構成されている。
【００１６】
スイッチングコントローラ２１は、ハイサイドＦＥＴ２３およびローサイドＦＥＴ２４のスイッチング動作を制御する。スイッチングコントローラ２１は、第１のスイッチング制御信号３１によってハイサイドＦＥＴ２３をオン／オフ制御し、第２のスイッチング制御信号３２によってローサイドＦＥＴ２４をオン／オフ制御する。
【００１７】
第１および第２のスイッチング制御信号３１、３２は、それぞれ互いに位相が逆転したＰＷＭ（Ｐｕｌｓｅ  Ｗｉｄｔｈ  Ｍｏｄｕｌａｔｉｏｎ）信号である。即ち、ハイサイドＦＥＴ２３がオンの時にローサイドＦＥＴ２４はオフされ、ハイサイドＦＥＴ２３がオフの時にローサイドＦＥＴ２４はオンされるよう、夫々の制御信号３１、３２が出力される。スイッチングコントローラ２１は、出力電圧を基準電圧と比較して規定の出力電圧を得るため、入力電圧と出力電圧の比で決まるデューティにより、ハイサイドＦＥＴ２３とローサイドＦＥＴ２４とを交互にオンするようスイッチング操作する。
【００１８】
後段に接続されたチョークコイル２６は、ハイサイドＦＥＴ２３とローサイドＦＥＴ２４に対するオン／オフ動作を受けて、スイッチ電圧が印加される。印加されたスイッチ電圧は、チョークコイル２６および出力コンデンサ２７で形成される平滑フィルタを通過して直流出力される。そして、この直流出力は、ＤＣ  Ｐｏｗｅｒ電源としてサーバコンピュータ１内の各種機器へと供給される。
【００１９】
また、スイッチングコントローラ２１は、ＣＰＵ１１からスイッチング周波数指示信号３３を供給されるよう、信号線が設けられている。スイッチングコントローラ２１は、ＣＰＵ１１からスイッチング周波数指示信号３３が供給されると、スイッチングコントローラ２１内部で設定されているスイッチング周波数を高くするよう切替処理する。その結果、スイッチングコントローラ２１は、ハイサイド／ローサイドＦＥＴ２３，２４のより早いオン／オフ期間（短いスイッチングサイクル）でスイッチング操作するようになる。
【００２０】
図２は、スイッチング電源装置２０のスイッチング周波数Ｘにおけるスイッチング動作を示すタイミングチャート図である。図２（ａ）はハイサイドＦＥＴ２３のオン／オフ状態を示している。図２（ｂ）はローサイドＦＥＴ２４のオン／オフ状態を示している。図２（ｃ）は出力電圧を示している。いずれの図も同期した状態で記載されているものとする。
【００２１】
図２（ａ）（ｂ）に示すように、ハイサイドＦＥＴ２３とローサイドＦＥＴ２４は、入力電圧と出力電圧の比で決まるデューティにより排他的にオン／オフを繰り返すようスイッチング操作されている。このオン／オフ動作に伴って、図２（ｃ）に示すように、出力電圧は、メインスイッチであるハイサイドＦＥＴ２３がオンした時に最も電圧が上昇する。この上昇時にチョークコイル２６と出力コンデンサ２７へのチャージも行われる。
【００２２】
一方、図２（ｃ）に示すように、出力電圧は、還流側であるローサイドＦＥＴ２４がオンした時にチョークコイル２６に蓄えられていたエネルギーが放出され、電圧は低下していく。この出力電圧のサイクルは、スイッチングコントローラ２１によるスイッチングサイクル(スイッチング周波数の逆数)毎に繰り返し行われる。
【００２３】
図３は、大きな負荷変動(短時間で負荷が変化すること)が発生した場合のスイッチング電源装置２０のスイッチング周波数Ｘにおけるスイッチング動作を示すタイミングチャート図である。図３（ａ）はハイサイドＦＥＴ２３のオン／オフ状態を示している。図３（ｂ）はローサイドＦＥＴ２４のオン／オフ状態を示している。図３（ｃ）は負荷電流の状態を示している。図３（ｄ）は出力電圧を示している。いずれの図も同期した状態で記載されていることとする。
【００２４】
以下に図３を用いて、ある所定の時間ｔ内に負荷電流がｉだけ急激に増大したケースを説明する。尚、図３（ａ）（ｂ）に示すハイサイド／ローサイドＦＥＴ２３、２４のオン／オフ切替操作は図２と同様であるため、説明を省略する。
【００２５】
図３（ｃ）に示すように、例えば、メインスイッチであるハイサイドＦＥＴ２３がオフとなっている時（還流時）に負荷が急激に増大すると、出力コンデンサ２７に蓄えられたエネルギーを放出することにより、発生した負荷に対してエネルギーが給電される。この結果、出力コンデンサ２７に蓄えられた電荷が急激に減ることとなり、図３（ｄ）に示すように、負荷急変時の出力電圧も急激に低下することとなる。
【００２６】
ここで、最も出力電圧が低下するのは、次にハイサイドＦＥＴ２３がオンする直前である。その出力電圧が低下する量は、電圧低下＝（ｉ×ｔ）／（２×Ｃ）の式で表すことができる。この式は、Ｑ＝Ｃ×Ｖ（Ｑは電荷、Ｖは電圧）から導出した式であり、Ｃは出力コンデンサ２７の容量を示している。
【００２７】
この式によれば、負荷急変が発生したとしても、出力コンデンサ２７の容量Ｃが大きければ、電圧低下は小さくなることがわかる。サーバコンピュータ１の電源設計においては、通常、上記出力電圧の低下が要求仕様内に収まるよう出力コンデンサ２７の容量Ｃを決定する。しかし、出力コンデンサ２７として電解コンデンサを用いると、使用時間とともに経年劣化して容量が減少してしまうため、その結果負荷急変時の電圧低下量が大きくなり、通常の運用に耐えられない状態になる。
【００２８】
このような状態となる前に、本実施例では、ＣＰＵ１１からスイッチングコントローラ２１に対してスイッチング周波数指示信号３３を出力するようになっている。スイッチングコントローラ２１は、ＣＰＵ１１からスイッチング周波数指示信号３３が供給されると、スイッチング周波数を高くして、スイッチングサイクルを短くするよう切替処理し、スイッチング操作を続ける。従って、サーバコンピュータ１は、継続して運用することが可能となる。
【００２９】
図４は、大きな負荷変動が発生した場合の、スイッチング電源装置２０のスイッチング周波数が高い（スイッチングサイクルが短い）スイッチング周波数Ｙにおけるスイッチング動作を示すタイミングチャート図である。図４（ａ）はハイサイドＦＥＴ２３のオン／オフ状態を示している。図４（ｂ）はローサイドＦＥＴ２４のオン／オフ状態を示している。図４（ｃ）は負荷電流の状態を示している。図４（ｄ）は出力電圧を示している。いずれの図も同期した状態で記載されているものとする。
【００３０】
図４に示すタイミングチャート図のスイッチング周波数Ｙは、図２および図３に示すタイミングチャート図のスイッチング周波数Ｘよりも、スイッチング周波数が２倍（スイッチングサイクルは半分）になった例を示すものである。
【００３１】
尚、図４（ｃ）に示す発生する負荷電流の条件（時間ｔ、負荷電流ｉ）は同様であるため説明を省略する。また、図４（ａ）（ｂ）に示すハイサイド／ローサイドＦＥＴ２３、２４のオン／オフ切替操作についても、周波数が異なる以外には図２および図３と同様であるため、説明を省略する。
【００３２】
図４（ｄ）に示すように、スイッチングサイクルが短かいと、負荷急変中にハイサイドＦＥＴ２３がオンとなる。すると、再び出力コンデンサ２７に電荷が蓄えられ、出力電圧が再び上昇することとなる。即ち、周波数を高くする（スイッチングサイクルを短くする）ことにより負荷急変時の出力電圧の低下量は少なくなる。
【００３３】
ここでも、最も出力電圧が低下するのは、やはり次にハイサイドＦＥＴ２３がオンする直前である。以下に、図３の場合と同様に式を用いて、出力電圧の低下量について検証する。図４に示す状態における出力電圧の低下量は、次の式で示すことが出来る。即ち、スイッチング周波数２倍の電圧低下＝｛（ｉ／２）×（ｔ／２）｝／（２×Ｃ）＝（１／４）×（ｉ×ｔ）／（２×Ｃ）である。
【００３４】
この式によれば、スイッチング周波数を２倍高くする（スイッチングサイクルを２分の１に短くする）と、スイッチングサイクルに対して相対的に負荷は２分の１となる。従って、図３に示す場合と比較すると、出力電圧は４分の１となることがわかる。即ち、出力コンデンサ２７が経年劣化により容量が減少したとしても、スイッチング電源のスイッチング周波数を高めることにより負荷急変時の電圧低下量が減少することがわかる。
【００３５】
次に、図５および図６を用いて、サーバコンピュータ１における電源制御方法について説明する。図５は、サーバコンピュータ１におけるＣＰＵ１１における電源制御に関する処理を示すフローチャート図である。図６は、スイッチング電源装置２０におけるスイッチングコントローラ２１におけるスイッチング周波数の変更処理を示すフローチャート図である。
【００３６】
図５に示すように、ＣＰＵ１１は、ＲＴＣ１２の時刻情報に基づいてシステムの運用時間を計算する。そして、ＣＰＵ１１は、この計算したシステムの運用時間が予め設定された時刻に達したかを判定する（ステップＳＴ１１）。
【００３７】
ＳＴ１１の判定の結果、予め設定された時間に達したと判定されると（ステップＳＴ１２のＹｅｓ）、ＣＰＵ１１は、スイッチングコントローラ２１に対してスイッチング周波数を高くするスイッチング周波数指示信号３３を出力する（ステップＳＴ１３）。
【００３８】
次に、図６に示すように、スイッチングコントローラ２１は、スイッチ周波数指示信号の入力を検知すると（ステップＳＴ１５）、スイッチング周波数を予め設定された高い周波数に切替えてスイッチング操作を実行する（ステップＳＴ１６）。
【００３９】
以上のように、本実施形態のサーバコンピュータ１１においては、ＲＴＣ１２の時間情報から算出したシステムの運用時間に基づいて、所定の時間に達したら、ＣＰＵ１１がスイッチング電源装置におけるスイッチング周波数を高くするための指示信号を出力するようになっている。そして、上記指示信号を受信すると、スイッチング電源装置においては、スイッチング周波数を高く切り替えて、スイッチング操作を実行するようなっている。従って、電源装置全体の性能を低下させることなく運用を継続することができる。
【００４０】
次に、図７は、サーバコンピュータ１におけるＣＰＵ１１における電源制御に関する処理の変形例を示すフローチャート図である。本変形例では、一度にスイッチング周波数を高くするのではなく、経過時間に基づいて段階的に周波数を高くしていくものである。
【００４１】
図７に示すように、ＣＰＵ１１は、ＲＴＣ１２の時刻情報に基づいてシステムの運用時間を計算し、予め設定された時刻に達したかを判定する（ステップＳＴ２１）。ＳＴ２１の判定の結果、予め設定された第１の時間に達したと判定されると（ステップＳＴ２２のＹｅｓ）、ＣＰＵ１１は、スイッチングコントローラ２１にスイッチング周波数を第１の周波数とするスイッチング周波数指示信号３３を出力する（ステップＳＴ２３）。
【００４２】
ＳＴ２１の判定の結果、予め設定された第２の時間に達したと判定されると（ＳＴ２２のＮｏ、ステップＳＴ２４のＹｅｓ）、ＣＰＵ１１は、スイッチングコントローラ２１にスイッチング周波数を第２の周波数とするスイッチング周波数指示信号３３を出力する（ステップＳＴ２５）。
【００４３】
ＳＴ２１の判定の結果、予め設定された第３の時間に達したと判定されると（ＳＴ２２のＮｏ、ＳＴ２４のＮｏ、ステップＳＴ２６のＹｅｓ）、ＣＰＵ１１は、スイッチング電源が寿命に達したと判断して、寿命である旨を示す通知を行う（ステップＳＴ２７）。この通知は、図示せぬ表示部を介して通知しても良く、また他の装置により通知する方法でも良い。
【００４４】
スイッチングコントローラ２１においては、ＣＰＵ１１が出力したスイッチング周波数指示信号３３を受信すると、図６に示す処理と同様に、指示された周波数（第１の周波数または第２の周波数）に切替えてスイッチング操作を実行する。
【００４５】
本変形例の構成では、経過時間に基づいて段階的にスイッチング周波数を高くするため、電源装置全体の性能を低下させることなく運用を継続することができるばかりでなく、スイッチングＦＥＴ２３，２４の熱損失の増加を比較的小さく出来、電源効率の低下を抑えることができる。
【００４６】
次に、図８は、サーバコンピュータ１の他の実施例の主要構成を示すブロック図である。本実施例では、ＣＰＵ１１が算出した運用時間に基づいて自動的にスイッチング周波数を高くするのではなく、ユーザからの指示に基づいてスイッチング周波数を変更する構成となっている。尚、他の構成については図１に示すブロック図と同様のため、説明を省略する。
【００４７】
即ち、図８に示すように、サーバコンピュータ１は、マニュアル操作可能なように新たな構成として指示部としてのスイッチ部４１を有している。スイッチ部４１は、ユーザがスイッチング周波数の切替えを指示入力するものである。スイッチ部４１は、スイッチコントローラ２１に信号線４３で接続されている。
【００４８】
そして、スイッチングコントローラ２１は、スイッチ部４１から信号線４３にてスイッチング周波数指示信号が入力されると、スイッチング周波数を高く切り替えて、スイッチング操作を実行するようなっている。また、本実施例の構成では、スイッチ部４１を介して指示される毎にスイッチング周波数を段階的に高くすることも可能である。
【００４９】
これにより、電源装置全体の性能を低下させることなく運用を継続することができるばかりでなく、スイッチングＦＥＴ２３，２４の熱損失の増加を比較的小さく出来、電源効率の低下を抑えることができる。
【図面の簡単な説明】
【００５０】
【図１】本発明に係る情報処理装置としてのサーバコンピュータ１の主要構成を示すブロック図。
【図２】スイッチング電源装置２０のスイッチング周波数Ｘにおけるスイッチング動作を示すタイミングチャート図。
【図３】大きな負荷変動(短時間で負荷が変化すること)が発生した場合のスイッチング電源装置２０のスイッチング周波数Ｘにおけるスイッチング動作を示すタイミングチャート図。
【図４】大きな負荷変動が発生した場合の、スイッチング電源装置２０のスイッチング周波数が高い（スイッチングサイクルが短い）スイッチング周波数Ｙにおけるスイッチング動作を示すタイミングチャート図。
【図５】サーバコンピュータ１におけるＣＰＵ１１における電源制御に関する処理を示すフローチャート図。
【図６】スイッチング電源装置２０におけるスイッチングコントローラ２１におけるスイッチング周波数の変更処理を示すフローチャート図。
【図７】サーバコンピュータ１におけるＣＰＵ１１における電源制御に関する処理の変形例を示すフローチャート図。
【図８】サーバコンピュータ１の他の実施例の主要構成を示すブロック図。
【符号の説明】
【００５１】
１    サーバコンピュータ
１１    ＣＰＵ
１２    ＲＴＣ
２０    スイッチング電源装置
２１    スイッチングコントローラ２１
２２    入力コンデンサ
２３    ハイサイドＦＥＴ
２４    ローサイドＦＥＴ
２５    還流ダイオード
２６    チョークコイル
２７    出力コンデンサ
４１    スイッチ
【図１】
2007159181.tif 000003
【図２】
2007159181.tif 000004
【図３】
2007159181.tif 000005
【図４】
2007159181.tif 000006
【図５】
2007159181.tif 000007
【図６】
2007159181.tif 000008
【図７】
2007159181.tif 000009
【図８】
2007159181.tif 000010